(57)【要約】【課題】  製品に含まれる部品又は材料の量が変更されても、製品に含まれる化学物質量を容易に集計することが可能な化学物質量集計装置を提供する。【解決手段】  化学物質量集計装置１０の単位含有量記憶部１０１は単位含有量データを記憶し、製品展開リスト記憶部１０２は製品展開リスト１４１を記憶する。製品化学物質含有量集計部１０３は、製品展開リスト１４１と単位含有量データとに基づいて、製品に含まれる化学物質量を集計する。【選択図】  図５
2006202040.tif 000002
【特許請求の範囲】
【請求項１】
部品又は材料の単位量当りに含まれる化学物質量を表す単位含有量データを記憶する単位含有量記憶手段と、
製品に含まれる部品又は材料の量を表すデータの一覧である製品展開リストを記憶する製品展開リスト記憶手段と、
前記製品展開リスト記憶手段に記憶されている製品展開リストと、前記単位含有量記憶手段に記憶されている単位含有量データとに基づいて、前記製品に含まれる化学物質量を集計する製品化学物質含有量集計手段と
を備えることを特徴とする化学物質量集計装置。
【請求項２】
部品又は材料を識別するための識別番号と、該部品又は材料の単位量当りに含まれる化学物質量を表す単位含有量データと、を対応付けて記憶する単位含有量記憶手段と、
製品に含まれる部品又は材料の量と、該部品又は材料を識別するための登録番号と、を対応付けたデータの一覧である製品展開リストを記憶する製品展開リスト記憶手段と、
前記製品展開リスト記憶手段に記憶されている登録番号と前記単位含有量記憶手段に記憶されている識別番号とを照合することにより、前記登録番号と一致する識別番号に対応付けられて記憶されている単位含有量データを取得する単位含有量取得手段と、
前記単位含有量取得手段により取得された単位含有量データで表される部品又は製品の単位量当りの化学物質量と、前記製品展開リスト記憶手段に記憶されている該部品又は材料が前記製品に含まれる量と、を乗算することにより、前記製品に含まれる化学物質量を算出する製品化学物質含有量算出手段と
を備えることを特徴とする化学物質量集計装置。
【請求項３】
前記製品展開リスト記憶手段に記憶されている、製品に含まれる部品又は材料の量を変更する製品展開リスト変更手段をさらに備えることを特徴とする
請求項１又は２に記載の化学物質量集計装置。
【発明の詳細な説明】
【技術分野】
【０００１】
本発明は、製品に含まれる化学物質量を集計する化学物質量集計装置に関する。
【背景技術】
【０００２】
製品に含まれる化学物質に関する情報を提供するシステムとして、製品ごとに製品に含まれる化学物質情報をデータベースに格納し、その情報を製品ごとに抽出する機能を備えたシステムが提案されている（例えば、特許文献１、２参照）。
【特許文献１】特開２００３−１４１２７６号公報（段落００２８）
【特許文献２】特開２００２−９２０９３号公報（段落００３８、００６８）
【発明の開示】
【発明が解決しようとする課題】
【０００３】
製品に含まれる化学物質情報を製品ごとにデータベースに登録すると、登録する化学物質が重複する。また、製品に含まれる部品又は材料の量が変更された場合には、データベースに登録された化学物質情報をその都度変更する必要があり、データのメンテナンスに大きな人の労力がかかり、また、コンピュータの処理負荷がかかってしまう。
この発明は上記の問題点を解決するためになされたものであり、製品に含まれる部品又は材料の量が変更されても、製品に含まれる化学物質量を容易に集計することが可能な化学物質量集計装置を提供することを目的とする。
【課題を解決するための手段】
【０００４】
上記課題を解決するために、請求項１に記載の発明は、部品又は材料の単位量当りに含まれる化学物質量を表す単位含有量データを記憶する単位含有量記憶手段と、製品に含まれる部品又は材料の量を表すデータの一覧である製品展開リストを記憶する製品展開リスト記憶手段と、前記製品展開リスト記憶手段に記憶されている製品展開リストと、前記単位含有量記憶手段に記憶されている単位含有量データとに基づいて、前記製品に含まれる化学物質量を集計する製品化学物質含有量集計手段とを備えることを特徴とする化学物質量集計装置を提供する。
この構成によれば、化学物質量集計装置は、製品展開リストと単位含有量データとに基づいて製品に含まれる化学物質量を集計するため、製品に含まれる部品又は材料の量が変更されても、製品展開リストのデータ内容を変更するのみで、製品に含まれる化学物質量を容易に集計することができる。
【０００５】
請求項２に記載の発明は、部品又は材料を識別するための識別番号と、該部品又は材料の単位量当りに含まれる化学物質量を表す単位含有量データと、を対応付けて記憶する単位含有量記憶手段と、製品に含まれる部品又は材料の量と、該部品又は材料を識別するための登録番号と、を対応付けたデータの一覧である製品展開リストを記憶する製品展開リスト記憶手段と、前記製品展開リスト記憶手段に記憶されている登録番号と前記単位含有量記憶手段に記憶されている識別番号とを照合することにより、前記登録番号と一致する識別番号に対応付けられて記憶されている単位含有量データを取得する単位含有量取得手段と、前記単位含有量取得手段により取得された単位含有量データで表される部品又は製品の単位量当りの化学物質量と、前記製品展開リスト記憶手段に記憶されている該部品又は材料が前記製品に含まれる量と、を乗算することにより、前記製品に含まれる化学物質量を算出する製品化学物質含有量算出手段とを備えることを特徴とする化学物質量集計装置を提供する。
【０００６】
この構成によれば、化学物質量集計装置は、部品又は材料を識別するための情報をキーとして、製品に含まれる部品又は材料の量と、部品又は材料の単位量当りに含まれる化学物質量とを関連付けることで、容易に、製品に含まれる部品又は材料の登録番号から、該部品又は材料の単位量当りに含まれる化学物質量を取得することができ、容易に製品に含まれる化学物質量を算出することができる。このため、製品に含まれる部品又は材料の量が変更されても、製品に含まれる化学物質量を容易に集計することが可能となる。
【０００７】
請求項３に記載の発明は、請求項１又は２に記載の化学物質量集計装置において、前記製品展開リスト記憶手段に記憶されている、製品に含まれる部品又は材料の量を変更する製品展開リスト変更手段をさらに備えることを特徴とする。
この構成によれば、製品に含まれる部品又は材料の量が変更された場合には、製品展開リスト記憶手段に記憶されている、該当する部品又は材料の量を変更することができるため、製品に含まれる化学物質量を容易に集計することが可能となる。
【発明の効果】
【０００８】
以上説明したように、化学物質量集計装置は、製品に含まれる部品又は材料の量を表すデータの一覧である製品展開リストと、部品又は材料の単位量当りに含まれる化学物質量を表す単位含有量データとに基づいて、製品に含まれる化学物質量を集計するため、製品に含まれる部品又は材料の量が変更されても、製品展開リストのデータ内容を変更するのみで、製品に含まれる化学物質量を容易に集計することが可能となる。
【発明を実施するための最良の形態】
【０００９】
以下、図を参照して、発明の実施の形態について説明する。
図１は、本発明の実施の形態に係る化学物質量集計装置１０のハードウェア構成を示すブロック図である。同図に示すように、化学物質量集計装置１０は、ＣＰＵ（Central Processing Unit）１１と、ＲＡＭ（Random Access Memory）１２と、ＲＯＭ（Read Only Memory）１３と、ハードディスク装置１４と、入力装置１５と、表示装置１６とを含んで構成され、一般的なコンピュータのハードウェア構成を備えている。
【００１０】
ハードディスク装置１４には各種ソフトウェアが記憶されている。例えば、ハードディスク装置１４には、図２に示す製品展開リスト１４１が記憶されている。製品展開リスト１４１には、データ項目として「部品登録番号（材料登録番号）」と「使用量」とが含まれている。
ここで、「部品登録番号（材料登録番号）」は、製品に含まれる部品又は材料を識別するための登録番号である。「部品登録番号（材料登録番号）」は、ユニークな番号であればよく、例えば、型式と資材コードとを組み合わせた番号を使用することができる。
【００１１】
「使用量」は、「部品登録番号（材料登録番号）」で識別される部品又は材料が製品に含まれている量を表す。ここで、「量」とは、製品に含まれているものが部品である場合には部品の個数であり、製品に含まれているものが材料の場合には、面積、重量、長さ、体積等の単位で表された材料の量である。
また、ハードディスク装置１４には、図３に示す化学物質テーブル１４２、部品マスタテーブル１４３、及び、材料マスタテーブル１４４等のデータベースが設けられている。
【００１２】
化学物質テーブル１４２は、部品又は材料を識別するための「項目１：識別番号」と、化学物質名を表す「項目２：化学物質」と、単位量当り（部品の場合には部品１個当り、材料の場合には、単位面積当り、単位体積当り、単位重量当り、単位長さ当り等）の化学物質量を表す「項目４：化学物質含有量」（単位含有量データ）と、を含んで構成される。
【００１３】
部品マスタテーブル１４３は、部品を識別するための「項目１：部品登録番号」と、部品に関する各種情報（「項目２：型名」、「項目３：メーカ名」、「項目４：資材コード」等）と、を含んで構成される。
材料マスタテーブル１４４は、材料を識別するための「項目１：材料登録番号」と、材料に関する各種情報（「項目２：型名」、「項目３：メーカ名」、「項目４：資材コード」等）と、を含んで構成される。
【００１４】
また、ハードディスク装置１４には、製品展開リスト１４１を作成・変更したり、データベースを検索して製品に含まれる化学物質量を集計するためのプログラムが記憶されている。
化学物質量集計装置１０が備える上述したハードウェア及びソフトウェアにより、図４に示す機能構成が化学物質量集計装置１０に実現される。同図に示す単位含有量記憶部１０１は、化学物質テーブル１４２が設けられているハードディスク装置１４で構成される。
【００１５】
製品展開リスト記憶部１０２は、製品展開リスト１４１が設けられているハードディスク装置１４で構成される。
製品化学物質含有量集計部１０３は、ＣＰＵ１１がハードディスク装置１４に記憶されているプログラムを実行することにより実現される機能である。製品化学物質含有量集計部１０３は、製品展開リスト記憶部１０２に記憶されている製品展開リストと、単位含有量記憶部１０１に記憶されている単位含有量データとに基づいて、製品に含まれる化学物質量を集計する。製品化学物質含有量集計部１０３が備える機能をさらに詳しく説明すると、製品化学物質含有量集計部１０３は、単位含有量取得機能１０３１と、製品化学物質含有量算出機能１０３２と、で構成される。
【００１６】
単位含有量取得機能１０３１は、製品展開リスト記憶部１０２に記憶されている登録番号と単位含有量記憶部１０１に記憶されている識別番号とを照合することにより、製品展開リスト１４１の登録番号と一致する識別番号と対応付けられて記憶されている単位含有量データを、単位含有量記憶部１０１から取得する。
製品化学物質含有量算出機能１０３２は、単位含有量取得機能１０３１により取得された単位含有量データで表される部品又は製品の単位量当りの化学物質量と、製品展開リスト記憶部１０２に記憶されている当該部品又は材料が製品に含まれる量と、を乗算することにより、製品に含まれる化学物質量を算出する。
【００１７】
製品展開リスト変更部１０４は、入力装置１５等から、製品に含まれる部品又は材料の量の修正入力を検知した場合に、製品展開リスト記憶部１０２に記憶されている製品展開リスト１４１の「使用量」を変更する。このような機能を化学物質量集計装置１０にもたせておくことで、製品に含まれる部品又は材料が変更された場合でも、入力装置１５から修正入力を行うことで、製品展開リスト１４１のデータ内容を変更することができ、製品に含まれる化学物質を容易に集計することが可能となる。
【００１８】
次に、図５を参照して、上記構成における動作について説明する。
図５に示すように、製品展開リスト１４１には、「部品登録番号（材料登録番号）」として“11111”、“22222”、“33333”、及び、“44444”が登録されている。
まず、製品化学物質含有量集計部１０３の単位含有量取得機能１０３１は、製品展開リスト１４１の「部品登録番号（材料登録番号）」“11111”をキーに、部品マスタテーブル１４３、及び、材料マスタテーブル１４４を検索し、製品に含まれる部品又は材料に関する情報を取得する（ステップＳ１）。
【００１９】
さらに、単位含有量取得機能１０３１は、登録番号“11111”をキーに、化学物質テーブル１４２を検索する（ステップＳ２）。
具体的には、単位含有量取得機能１０３１は、登録番号“11111”と一致する「項目１：識別番号」を化学物質テーブル１４２から検索し、一致する「項目１：識別番号」“1111”と対応付けられて記憶されている「項目４：化学物質含有量」（例えば、“１．２ｍｇ／ｃｍ2”）と「項目２：化学物質」（例えば“鉛”）とを化学物質テーブル１４２から取得する。
【００２０】
製品化学物質含有量算出機能１０３２は、製品展開リスト１４１において「部品登録番号（材料登録番号）」“11111”と対応付けられている「使用量」“１０．０ｃｍ2”と、単位含有量取得機能１０３１により取得された「項目４：化学物質含有量」“１．２ｍｇ／ｃｍ2”と、を乗算することにより、製品に含まれる鉛の量として１２．０ｍｇを算出する。
同様に、「部品登録番号（材料登録番号）」“22222”、“33333”、及び、“44444”についてもそれぞれ化学物質量を算出し、製品化学物質含有量集計部１０３は、図５に示す化学物質集計結果を生成して、表示装置１６等に出力する（ステップＳ３）。
【００２１】
以上説明したように、化学物質量集計装置１０は、部品については１個当たりに含まれる化学物質量を、材料については単位当たりに含まれる化学物質量を化学物質テーブル１４２等のデータベースに格納しておき、また、製品に含まれる部品又は材料の量を登録した製品展開リスト１４１を作成しておく。そして、化学物質量集計装置１０は、化学物質テーブル１４２に登録された部品又は材料の単位量当たりに含まれる化学物質量と、製品展開リスト１４１に登録された部品又は材料の量とに基づいて、製品に含まれる化学物質量を集計するようにした。このため、製品に含まれる化学物質量を製品ごとに登録したりメンテナンスすることなく、製品に含まれる化学物質を容易に集計することができ、正確な化学物質情報を容易に提供することができる。
【００２２】
また、製品展開リスト１４１の部品又は材料の量を変更可能としたため、製品に含まれる部品又は材料が変更された場合においても、製品展開リスト１４１の製品に含まれる部品又は材料の量を修正するだけで、製品に含まれる化学物質量を容易に集計することが可能である。
また、部品又は材料の単位量当りに含まれる化学物質量についてのデータを化学物質テーブル１４２に格納するようにしたため、製品に含まれているものが部品であっても材料であっても、同じ処理手順で化学物質量を集計することができ、化学物質量集計装置１０に処理負荷をかけることなく効率的に演算を行うことができる。
【図面の簡単な説明】
【００２３】
【図１】本発明の実施の形態に係る化学物質量集計装置のハードウェア構成を示すブロック図である。
【図２】同実施の形態に係る製品展開リストのデータ構成の一例を示す図である。
【図３】同実施の形態に係る化学物質テーブル、部品マスタテーブル、及び、材料マスタテーブルのデータ構成の一例を示す図である。
【図４】同実施の形態に係る化学物質量集計装置の機能構成を示すブロック図である。
【図５】同実施の形態に係る動作例を説明するための図である。
【符号の説明】
【００２４】
１０      化学物質量集計装置
１１      ＣＰＵ
１２      ＲＡＭ
１３      ＲＯＭ
１４      ハードディスク装置
１４１    製品展開リスト
１４２    化学物質テーブル
１４３    部品マスタテーブル
１４４    材料マスタテーブル
１５      入力装置
１６      表示装置
１０１    単位含有量記憶部
１０２    製品展開リスト記憶部
１０３    製品化学物質含有量集計部
１０３１  単位含有量取得機能
１０３２  製品化学物質含有量算出機能
１０４    製品展開リスト変更部
【図１】
2006202040.tif 000003
【図２】
2006202040.tif 000004
【図３】
2006202040.tif 000005
【図４】
2006202040.tif 000006
【図５】
2006202040.tif 000007